(57)【要約】【課題】  燃料供給装置において、そこで本発明は、燃料供給装置において、ワイヤーハーネスを軽量、低コスト、コンパクト及び簡単にデリバリ部材に固定させること。【解決手段】  内燃機関に燃料を供給するインジェクタが装着されるデリバリパイプ１を有する燃料供給装置１０において、デリバリパイプ１の長手方向には少なくとも２つ以上のリブ４が設けられ、隣接するリブ４の間にインジェクタを駆動させる電流を供給するワイヤーハーネス５を配設した。【選択図】      図１
2005140052.tif 000002
【特許請求の範囲】
【請求項１】
内燃機関に燃料を噴射するインジェクタが装着されるデリバリ部材を有する燃料供給装置において、
前記デリバリ部材には少なくとも２つ以上のリブが設けられ、隣接する前記リブの間に前記インジェクタを駆動させる電流を供給するワイヤーハーネスが配設されていることを特徴とする燃料供給装置。
【請求項２】
前記ワイヤーハーネスは、前記デリバリ部材に結束バンドにより結束されていることを特徴とする請求項１に記載の燃料供給装置。
【請求項３】
前記デリバリ部材の長手方向には少なくとも１つの外周溝が形成され、前記外周溝に前記結束バンドが収納されることを特徴とする請求項１又は２に記載の燃料供給装置。
【発明の詳細な説明】
【技術分野】
【０００１】
この発明は、内燃機関に燃料を噴射するインジェクタが装着されるデリバリ部材から構成される燃料供給装置に関し、特にインジェクタを駆動させる電流を供給するワイヤーハーネスが取り付けられる燃料供給装置に関する。
【背景技術】
【０００２】
従来、インジェクタを駆動させる電流を供給するワイヤーハーネスはデリバリパイプ（デリバリ部材）にボルト等で固定した鉄プレス製ブラケット及びワイヤーハーネスに取り付けたプラスチック製のスナップフィット機構によりデリバリパイプに間接的に固定しているため、コストも高く、重量も重く、搭載性も悪いものであった。
【０００３】
また、デリバリパイプに端子部を一体的に固定し、端子間に電線をぐらつきが起こらないように配線し、この電線を通してインジェクタに電流を供給するものがある（例えば、特許文献１参照。）。しかしながら、この燃料供給装置は、配線が複雑であると共に工程が大掛かりとなる。
【特許文献１】特開２００１−２８９１３６号公報
【発明の開示】
【発明が解決しようとする課題】
【０００４】
そこで本発明は、燃料供給装置において、ワイヤーハーネスを軽量、低コスト、コンパクト及び簡単にデリバリ部材に固定させることを技術的課題とする。
【課題を解決するための手段】
【０００５】
上記課題を解決するために、請求項１の発明にて講じた技術的手段は、内燃機関に燃料を噴射するインジェクタが装着されるデリバリ部材を有する燃料供給装置において、前記デリバリ部材には少なくとも２つ以上のリブが設けられ、隣接する前記リブの間に前記インジェクタを駆動させる電流を供給するワイヤーハーネスが配設されていることである。
【０００６】
上記手段によれば、デリバリ部材には少なくとも２つ以上のリブが設けられ、隣接するリブの間にインジェクタを駆動させる電流を供給するワイヤーハーネスが取り付けられるため燃料供給装置をコンパクトにすることができる。
【０００７】
上記課題を解決するために、請求項２の発明にて講じた技術的手段は、前記ワイヤーハーネスは、前記デリバリ部材に結束バンドにより結束されていることである。
【０００８】
上記手段によれば、ワイヤーハーネスは、デリバリ部材に結束バンドにより結束されていることにより、軽量、低コストでワイヤーハーネスをデリバリ部材に固定することができ、ワイヤーハーネスの組付け性を向上できる。
【０００９】
上記課題を解決するために、請求項３の発明にて講じた技術的手段は、前記デリバリ部材の長手方向には少なくとも１つの外周溝が形成され、前記外周溝に前記結束バンドが収納されることである。
【００１０】
上記手段によれば、デリバリ部材の長手方向には少なくとも１つの外周溝が形成され、外周溝に結束バンドが収納されるため燃料供給装置をコンパクトにすることができる。また、外周溝に固定されるため、結束バンドが移動して結束が緩んだり、ワイヤーハーネスを傷つける不具合を防止できる。
【発明の効果】
【００１１】
本願発明によれば、デリバリ部材には少なくとも２つ以上のリブが設けられ、隣接するリブの間にインジェクタを駆動させる電流を供給するワイヤーハーネスが配置されるため燃料供給装置をコンパクトにすることができる。
【発明を実施するための最良の形態】
【００１２】
以下、本発明の実施の形態を図１ないし図３を参照して説明する。
【００１３】
図１及び図２は、図示しない内燃機関に燃料を噴射する図示しないインジェクタが装着されるデリバリパイプ（デリバリ部材）１を有する燃料供給装置１０を示す。デリバリパイプ１の内部には、燃料が流れる燃料供給通路２が形成されている。デリバリパイプ１の一端側には、図示しない燃料ポンプから燃料をデリバリパイプ１に供給する図示しない燃料パイプが連結される連結部１ａが形成されている。また、デリバリパイプ１の一端側には、燃料を図示しない燃料タンクにドレンする図示しないドレンパイプが連結されるユニオン１ｂが固定されている。デリバリパイプ１の他端側には、燃料供給通路２を封止する封止栓３が累合されている。また、デリバリパイプ１の他端側には、燃料の圧力を検出する燃圧センサ６が取付けられている。デリバリパイプ１の長手方向にはほぼ等間隔に、デリバリパイプ１を内燃機関に取り付けるための取付部１ｃが複数形成されている。
【００１４】
デリバリパイプ１の長手方向にはリブ４が複数形成されている。リブ４は、デリバリパイプ１の長手方向の反りによる変形を防止すると共に、剛性を向上するために設けられている。図３に示すように、隣接するリブ４の間にインジェクタを駆動させる電流を供給するワイヤーハーネス５が配設されている。ワイヤーハーネス５は、インジェクタに結合されるコネクタ部５ａが固定された導出部５ｂが導出されている。導出部５ｂはリブ４に連続する周方向のリブ４ａの間に配設されている。リブ４ａは、デリバリパイプ１の周方向の変形を防止すると共に、剛性を向上するために設けられている。ワイヤーハーネス５の略中央には、図示しない電源に連結される給電部５ｃが設けられている。
【００１５】
デリバリパイプ１の長手方向には外周溝１ｄが形成され、ワイヤーハーネス５をデリバリパイプ１に結束する結束バンド８が収納されている。結束バンドは樹脂製であるとよい。
【００１６】
デリバリパイプ１には、インジェクタの取付部７が形成されており、取付部７にはインジェクタが挿入さて図示しない固定部材により固定されている。インジェクタは、エンジンの作動状態に応じたタイミングで、図示しない制御ユニットにより開閉作動が制御されている。
【００１７】
次に本実施の形態の作用について説明する。
【００１８】
燃料ポンプから吐出されて、デリバリパイプ１に圧送され燃料供給通路２内に貯留され燃料ポンプにより与圧された燃料は、ワイヤーハーネス５により電流を供給され、インジェクタの開閉作動により燃料を噴射する。
【図面の簡単な説明】
【００１９】
【図１】本発明の実施の形態に係わる燃料供給装置を示す平面図である。
【図２】本発明の実施の形態に係わる燃料供給装置を示す正面図である。
【図３】図２におけるＡ−Ａ断面図である。
【符号の説明】
【００２０】
１・・・デリバリパイプ（デリバリ部材）
１ｄ・・・外周溝
４・・・リブ
５・・・ワイヤーハーネス５
８・・・結束バンド
１０・・・燃料供給装置
【図１】
2005140052.tif 000003
【図２】
2005140052.tif 000004
【図３】
2005140052.tif 000005